【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
複数のスペーサ本体であって、このスペーサ本体の少なくとも１対が、大きさ及び形状のうちの少なくとも一方の異なるものを定める前記複数のスペーサ本体と、
インサートの少なくとも１つが前記複数のスペーサ本体のいずれかに結合されるように構成され、各インサートがそれを通って延びる少なくとも１つの案内開口を形成する複数のインサートと、
少なくとも部分的に前記少なくとも１つの案内開口を通ってインサートに対して湾曲した複数の湾曲固定部材と、を有し、
各湾曲固定部材が、近位端と、この近位端から中心軸に沿って離間した遠位端と、前記中心軸に沿って延びる湾曲固定本体とを形成し、
この湾曲固定本体が、前記少なくとも１つの案内開口に挿入された際にこの少なくとも１つの案内開口に回転自在に固定されるように、前記少なくとも１つの案内開口に適合する断面形状を形成し、
前記遠位端が、前記湾曲固定本体から遠位に延び、且つ椎体の中に切り込むように構成されたテーパー状先端を形成する、椎間インプラントキット。
【請求項２】
前記複数のスペーサ本体のうちの前記少なくとも２つは、異なる前湾角を形成する請求項１に記載の椎間インプラントキット。
【請求項３】
前記複数のインサートのうちの少なくとも１つが、前記複数のスペーサ本体のうちの１つの少なくとも一部分とは異なる高さを有する請求項１に記載の椎間インプラントキット。
【請求項４】
前記複数のインサートのうちの前記少なくとも１つの高さが、この複数のインサートのうちの第２のものよりも高い請求項１に記載の椎間インプラントキット。
【請求項５】
前記複数のインサートのうちの少なくとも１つが、プレートの対向する端部から延びる１対の側壁を形成する請求項１に記載の椎間インプラントキット。
【請求項６】
前記複数の湾曲固定部材のうちの少なくとも１つが前記少なくとも１つの案内開口を通って挿入された際に、前記テーパー状先端及び前記湾曲固定本体が前記少なくとも１つの案内開口を通って移動する請求項１に記載の椎間インプラントキット。
【請求項７】
前記複数のスペーサのうちの少なくとも１つの一部分が、この複数のスペーサのうちの第２のものの対応する部分とは異なる高さを有する請求項１に記載の椎間インプラントキット。
【請求項８】
前記複数のスペーサのうちの少なくとも１つが、この複数のスペーサのうちの第２のものによって形成されるものとは異なる周囲を形成する請求項１に記載の椎間インプラントキット。
【請求項９】
椎間インプラントであって、
スペーサ本体と、
前記スペーサ本体に結合されるように構成され、それを通って延びる複数の案内開口を形成するインサートと、
少なくとも部分的に前記複数の案内開口の少なくとも１つを通って、少なくとも部分的に椎体に挿入されるように構成され、近位端及びこの近位端から中心軸に沿って離間した遠位端を形成する骨固定部材と、を有し、
前記骨固定部材は、
前記近位端と前記遠位端との間を延び、この骨固定本体が挿入中に前記少なくとも１つの案内開口に回転自在に固定されるように、複数の案内開口の少なくとも１つに適合する断面形状を形成する湾曲中間部分を有する固定本体と、
前記湾曲中間部分より遠位にあり、前記固定本体から遠位に延び、骨の中に切り込むように構成されたテーパー状先端と、
を有する椎間インプラント。
【請求項１０】
前記案内部材は、前記先端によって形成された縦溝を有し、この縦溝は、前記挿入軌道と実質的に平行に延びる請求項９に記載の椎間インプラント。
【請求項１１】
前記案内部材は、前記先端によって形成された複数の縦溝を有する請求項１０に記載の椎間インプラント。
【請求項１２】
前記縦溝は、互いに実質的に平行に延びる請求項１１に記載の椎間インプラント。
【請求項１３】
前記案内部材は、前記遠位端から突出する突起を有する請求項９に記載の椎間インプラント。
【請求項１４】
前記突起は、キールを含む請求項１３に記載の椎間インプラント。
【請求項１５】
前記案内部材は、更に、縦溝が前記キールと少なくとも１つの翼の間に配置されるようにこのキールに隣接して配置された少なくとも１つの翼を有する請求項１４に記載の椎間インプラント。
【請求項１６】
前記案内部材は、更に、前記キールが翼の間に配置されるようにこのキールに隣接して配置された第２の翼を有する請求項１５に記載の椎間インプラント。
【請求項１７】
縦溝が、前記キールと前記それぞれの翼の各々との間に形成される請求項１６に記載の椎間インプラント。
【請求項１８】
前記キールは、実質的に前記翼の間の中心に配置される請求項１６に記載の椎間インプラント。
【請求項１９】
前記案内部材は、少なくとも１つのオフセット翼を有する請求項１３に記載の椎間インプラント。
【請求項２０】
前記案内部材は、更に、１対のオフセット翼を有する請求項１９に記載の椎間インプラント。
【請求項２１】
前記案内部材は、更に、前記翼の間に配置されたキールを有する請求項２０に記載の椎間インプラント。
【請求項２２】
前記翼と前記キールの間に配置された１対の縦溝を更に形成する請求項２１に記載の椎間インプラント。
【請求項２３】
前記案内部材は、前記本体の前記中間部分の前記先端に近接して終端する請求項９に記載の椎間インプラント。
【請求項２４】
前記本体は、この固定部材を椎体内の挿入位置に保持するように構成された把持構造体を有する請求項９に記載の椎間インプラント。
【請求項２５】
前記把持構造体は、前記本体の前記中間部分に形成された複数の歯を有する請求項２４に記載の椎間インプラント。
【請求項２６】
前記複数の歯は、前記本体の前記中間部分の対向する側面上に列で形成される請求項２５に記載の椎間インプラント。
【請求項２７】
椎間インプラントであって、
椎間腔の中に埋め込まれるように構成されたスペーサ本体を有し、
前記スペーサ本体は、上側骨係合面と、この上側骨係合面から離間した下側骨係合面と、後壁を形成する外側壁と、この後壁の反対側の前壁と、この後壁とこの前壁との間に延びる１対の側壁と、を形成し、
前記側壁は、第１の方向に沿って互いに離間し、
前記前壁及び前記後壁は、前記第１の方向と直交する第２の方向に沿って互いに離間し、
前記外側壁は、前記上側骨係合面から前記下側骨係合面まで延び、且つ、前記前壁と前記後壁との間の位置において、前記上側骨係合面及び前記下側骨係合面を通って各々延びる１対の開口を少なくとも部分的に形成し、
前記スペーサ本体は、前記１対の開口の一方を他方から離す内側壁を更に有し、
前記椎間インプラントは、前記スペーサ本体に結合されるように構成され、プレートを形成するインサートであって、このインサートとこのスペーサ本体の前記外側壁とがそれらの間に第２の開口を形成する前記インサートを更に有し、
前記第２の開口は、前記第２の方向に沿って前記内側壁と整合し、
前記インサートは、それを通って延びる少なくとも１つの案内開口を更に形成し、
前記少なくとも１つの案内開口は、湾曲骨固定部材を受け入れるように構成される、椎間インプラント。
【請求項２８】
前記少なくとも１つの案内開口を少なくとも部分的に通って挿入されるように構成された少なくとも１つの湾曲骨固定部材を更に有し、
前記少なくとも１つの湾曲固定部材は、この少なくとも１つの湾曲固定部材が挿入中に前記少なくとも１つの案内開口に回転自在に固定されるように、前記少なくとも１つの案内開口に適合する断面形状を形成する請求項２７に記載の椎間インプラント。
【請求項２９】
前記上側及び下側骨係合面の少なくとも一部分には、緩衝溝が形成され、この緩衝溝は、そこにそれぞれの湾曲固定部材を部分的に受け入れるように構成される請求項２７に記載の椎間インプラント。
【請求項３０】
前記スペーサ本体及び前記インサートは、それぞれの上側及び下側骨係合面を形成し、このそれぞれの上側及び下側骨係合面の少なくとも一部分には、複数の把持構造体が形成され、この把持構造体は、椎間インプラントが椎間腔の中に挿入される時に隣接椎体と係合するように構成される請求項２８に記載の椎間インプラント。
【請求項３１】
前記外側壁は、前記スペーサ本体を取り囲む周囲を形成する請求項２７に記載の椎間インプラント。
【請求項３２】
前記少なくとも１つの案内開口は、実質的に真っ直ぐに延び、前記骨固定部材は、湾曲している請求項２８に記載の椎間インプラント。
【請求項３３】
前記外側壁は、そこに少なくとも１つの空洞を形成する内面を形成する請求項２７に記載の椎間インプラント。
【請求項３４】
前記少なくとも１つの空洞は、前記第１の開口に対して開いている請求項３３に記載の椎間インプラント。
【請求項３５】
前記スペーサ本体は、前記外側壁を通って延びる少なくとも１つの開口部を形成する請求項２７に記載の椎間インプラント。
【請求項３６】
前記少なくとも１つの案内開口を少なくとも部分的に通って挿入されるように構成された少なくとも１つの湾曲骨固定部材を更に有し、
前記少なくとも１つの湾曲固定部材は、この少なくとも１つの湾曲固定部材が挿入中に前記少なくとも１つの案内開口に回転自在に固定されるように、前記少なくとも１つの案内開口に適合する断面形状を形成する請求項２７に記載の椎間インプラント。
【請求項３７】
前記スペーサ本体は、前記１対の開口を分離する内側壁を通って延びる少なくとも１つの開口部を形成する請求項２７に記載の椎間インプラント。
【請求項３８】
前記スペーサ本体は、前記１対の開口を前記第２の開口と連通して置くために前記外側壁を通って延びる１対の開口部を形成する請求項２７に記載の椎間インプラント。
【請求項３９】
前記前壁は前記プレートに面し、この前壁の少なくとも一部分は、前記インサートが前記スペーサ本体に結合される時にこのプレートから離れるように湾曲している請求項２７に記載の椎間インプラント。
【請求項４０】
前記インサートは、前記スペーサ本体の少なくとも一部分とは異なる高さを有する請求項２７に記載の椎間インプラント。
【請求項４１】
前記インサートの前記高さは、椎間インプラントによって形成される前湾角が、前記スペーサ本体によって形成されるものよりも大きいように、このスペーサ本体の前記少なくとも一部分よりも高い請求項４０に記載の椎間インプラント。
【請求項４２】
前記インサート及び前記スペーサ本体の各々は、更に、このインサートがこのスペーサ本体に結合される時にこのインサートをこのスペーサ本体に固定するように構成されたそれぞれの連結部材を有する請求項２７に記載の椎間インプラント。
【請求項４３】
前記少なくとも１つの湾曲固定部材は、前記少なくとも１つの案内開口の長さよりも長く、少なくとも１つの案内開口を通して椎体の中に推し進めるときに、この椎体の中に切り込むように構成された先端を有する請求項２７に記載の椎間インプラント。
【請求項４４】
椎間インプラントであって、
椎間腔の中に埋め込まれるように構成された中空のスペーサ本体を有し、
前記スペーサ本体は、上側プレート及び下側プレートと、この上側プレートとこの下側プレートとの間に設けられた中空領域と、この上側プレートとこの下側プレートとの間に延びる外側壁と、を有し、
前記スペーサ本体は、前記上側及び下側プレートの各々から前記中空領域まで延びる複数の開口を形成し、
前記椎間インプラントは、前記スペーサ本体に結合されるように構成され、プレートを形成するインサートを更に有し、
前記インサートは、前記外側壁の少なくとも一部分の反対側に配置され、それを通って延びる少なくとも１つの案内開口を形成し、この少なくとも１つの案内開口は、骨固定部材を受け入れるように構成され、
前記椎間インプラントは、少なくとも部分的に前記少なくとも１つの案内開口を通って挿入されるように構成された少なくとも１つの湾曲固定部材を更に有する、椎間インプラント。
【請求項４５】
前記上側プレートを通って延びる前記開口は、前記下側プレートを通って延びる前記開口と整列する請求項４４に記載の椎間インプラント。
【請求項４６】
外側壁が前記スペーサ本体の少なくとも後側端部を形成し、前記スペーサ本体は、前記後側端部の反対側である開放前側端部を形成する請求項４４に記載の椎間インプラント。
【請求項４７】
前記開放前側端部は、前記前側端部と前記インサートの間に配置される請求項４６に記載の椎間インプラント。
【請求項４８】
前記少なくとも１つの案内開口は、実質的に真っ直ぐに延び、前記骨固定部材は、湾曲している請求項４９に記載の椎間インプラント。
【請求項４９】
前記スペーサ本体は、前記外側壁を通って延びる複数のスロットを形成する請求項４４に記載の椎間インプラント。
【請求項５０】
前記スロットは、前記上側及び下側プレートの間の方向に沿って細長い請求項４９に記載の椎間インプラント。
【請求項５１】
前記上側及び下側プレートは、それぞれの骨係合面を形成する請求項４４に記載の椎間インプラント。
【請求項５２】
前記スペーサ本体及び前記インサートは、それぞれの上側及び下側骨係合面を形成し、このそれぞれの上側及び下側骨係合面の少なくとも一部分には、その上に複数の把持構造体が形成され、この把持構造体は、椎間インプラントが椎間腔の中に挿入される時に隣接椎体と係合するように構成される請求項４４に記載の椎間インプラント。
【請求項５３】
前記インサートは、前記スペーサ本体の少なくとも一部分とは異なる高さを定める請求項４４に記載の椎間インプラント。
【請求項５４】
前記インサートの前記高さは、椎間インプラントによって形成される前湾角が、前記スペーサ本体によって形成されるものよりも大きいように、このスペーサ本体の前記少なくとも一部分よりも高い請求項５３に記載の椎間インプラント。
【請求項５５】
前記インサート及び前記スペーサ本体の各々は、更に、このインサートがこのスペーサ部材に結合される時にこのインサートをこのスペーサ部材に固定するように構成されたそれぞれの連結部材を有する請求項４４に記載の椎間インプラント。
【請求項５６】
前記少なくとも１つの湾曲固定部材は、椎体の中に切り込むように構成された先端を有し、且つ、この先端を前記少なくとも１つの案内開口を少なくとも部分的に通して少なくとも部分的に前記椎体の中に推し進めることができるように、前記少なくとも１つの案内開口よりも大きい長さを有する請求項４４に記載の椎間インプラント。
【請求項５７】
前記骨固定部材は、少なくとも部分的に前記先端に配置された案内部材を更に有し、この案内部材は、前記骨固定部材が前記椎体の中に挿入される時に骨固定部材を挿入軌道に沿って案内するように構成される請求項９に記載の椎間インプラント。
【請求項５８】
前記スペーサ本体は、上側骨係合面と、この上側骨係合面から離間した下側骨係合面と、後壁を形成する外側壁と、この後壁の反対側の前壁と、この後壁とこの前壁との間に延びる１対の側壁と、を形成し、
前記側壁は、第１の方向に沿って互いに離間し、
前記前壁及び前記後壁は、前記第１の方向と直交する第２の方向に沿って互いに離間し、
前記外側壁は、前記前壁と前記後壁との間の位置において、前記上側骨係合面及び前記下側骨係合面を通って各々延びる１対の開口を少なくとも部分的に形成し、
前記スペーサ本体は、前記１対の開口の一方を他方から離す内側壁を更に有する請求項９に記載の椎間インプラント。
【請求項５９】
前記スペーサ本体は、前記１対の開口を分離する内側壁を通って延びる少なくとも１つの開口部を形成する請求項５８に記載の椎間インプラント。
【請求項６０】
前記スペーサ本体は、前記１対の開口を前記第２の開口と連通して置くために前記外側壁を通って延びる１対の開口部を形成する請求項５８に記載の椎間インプラント。